(57)【要約】【課題】運転中に織機の回転数が変動する織物を製織する場合であっても、余剰経糸整理バーの振動を低減することが可能な織機の余剰経糸整理バー支持装置の提供にある。【解決手段】織機に備えられ、余剰の経糸を案内する余剰経糸整理バー２４を支持する支持ブラケット２８を有する織機の余剰経糸整理バー支持装置２５において、余剰経糸整理バー２４と支持ブラケット２８との間に介在される弾性部材としてのゴム製円筒体２９と、を備え、ゴム製円筒体２９は、余剰経糸整理バー２４と当接する上部２９Ａと支持ブラケット２８と当接する下部２９Ｂとの間に非密閉状の空間３３を有する状態で余剰経糸整理バー２４を支持した。【選択図】  図４
2020059943.tif 000002
【特許請求の範囲】
【請求項１】
織機に備えられ、余剰の経糸を案内する余剰経糸整理バーを支持する支持ブラケットを有する織機の余剰経糸整理バー支持装置において、
前記余剰経糸整理バーと前記支持ブラケットとの間に介在される弾性部材を備え、
前記弾性部材は、前記余剰経糸整理バーと当接する上部と前記支持ブラケットと当接する下部との間に非密閉状の空間を有する状態で前記余剰経糸整理バーを支持することを特徴とする織機の余剰経糸整理バー支持装置。
【請求項２】
前記弾性部材は円筒体であることを特徴とする請求項１記載の織機の余剰経糸整理バー支持装置。
【請求項３】
前記弾性部材は、ゴム系材料により形成されていることを特徴とする請求項１又は２記載の織機の余剰経糸整理バー支持装置。
【発明の詳細な説明】
【技術分野】
【０００１】
この発明は、織機の余剰経糸整理バー支持装置に関し、織機の経糸ビームから送り出される余剰の経糸を整理する余剰経糸整理バーを支持する織機の余剰経糸整理バー支持装置に関する。
【背景技術】
【０００２】
織機では、通常、経糸ビームから送り出される経糸のうち余剰の経糸を整理するため、余剰経糸整理バーが備えられている。この余剰経糸整理バーは、余剰経糸整理バー支持装置により支持されている。織機の余剰経糸整理バー支持装置の従来技術としては、例えば、特許文献１に開示されたエンドルータステーの支持装置が知られている。特許文献１では、エンドルータステーの端部は弾性部材からなるブッシュを介してエンドルータブラケットの溝内に密着嵌合した状態にある。なおエンドルータステーは複数個のエンドルータを架設するべきものであり、またエンドルータブラケットは織機の適宜なフレームに固定架設されている。弾性部材からなるブッシュは半楕円状の横断面を有しており、これに対応してエンドルータ端部はほぼ楕円状の横断面を有している。またエンドルータブラケットの溝は上方に開口しており、その開口部近傍に形成された軸方向の凹溝にはブッシュの開口部近傍外側に形成されたが係合している。
【０００３】
特許文献１に開示されたエンドルータステーの支持装置によれば、エンドルータブラケットとエンドルータステーとの間に振動吸収性を有した弾性部材のブッシュが介在しているので、織機の振動が直接そのままエンドルータステーに伝達されることがなく、エンドルータステーの振動が効果的に低減されるとしている。
【先行技術文献】
【特許文献】
【０００４】
【特許文献１】実公平７−１４３７７号公報
【発明の概要】
【発明が解決しようとする課題】
【０００５】
特許文献１に開示されたエンドルータステーの支持装置は、織機の回転数がほぼ一定となる条件で製織される織物の場合、織機の回転数に合わせた弾性部材の硬さを選択しているため、振動を低減することは可能である。しかしながら、例えば、パイル地のように運転中に織機の回転数が変動する織物を製織する場合、弾性部材の硬さを適切に設定するのが困難という問題がある。つまり、運転中に織機の回転数が変動することによって共振周波数が変わると、余剰経糸整理バーであるエンドルータステーの振動を低減することができなくなる。
【０００６】
本発明は上記の問題点に鑑みてなされたもので、本発明の目的は、運転中に織機の回転数が変動する織物を製織する場合であっても、余剰経糸整理バーの振動を低減することが可能な織機の余剰経糸整理バー支持装置の提供にある。
【課題を解決するための手段】
【０００７】
上記の課題を解決するために、本発明は、織機に備えられ、余剰の経糸を案内する余剰経糸整理バーを支持する支持ブラケットを有する織機の余剰経糸整理バー支持装置において、前記余剰経糸整理バーと前記支持ブラケットとの間に介在される弾性部材を備え、前記弾性部材は、前記余剰経糸整理バーと当接する上部と前記支持ブラケットと当接する下部との間に非密閉状の空間を有する状態で前記余剰経糸整理バーを支持することを特徴とする。
【０００８】
本発明では、弾性部材は、余剰経糸整理バーと当接する上部と支持ブラケットと当接する下部との間に非密閉状の空間を有する状態で余剰経糸整理バーを支持する。このため、運転中に織機の回転数が変動する織物を製織する場合であっても、弾性部材を単に介在させる場合と比較して、非密閉状の空間を有する弾性部材は弾性変形し易い。つまり、弾性部材の材料に依存することなく弾性部材の共振周波数を低下させることができ、余剰経糸整理バーの振動を効果的に低減することができる。
【０００９】
また、上記の織機の余剰経糸整理バー支持装置において、前記弾性部材は円筒体である構成としてもよい。
この場合、弾性部材は円筒体であり、非密閉状の空間は円柱となるので、簡単な構成の弾性部材を実現することができる。また、ブラケットに対する弾性部材の周方向の位置決めを考慮する必要が無く、弾性部材を余剰経糸整理バーと支持ブラケットとの間に介在させ易い。
【００１０】
また、上記の織機の余剰経糸整理バー支持装置において、前記弾性部材は、ゴム系材料により形成されている構成としてもよい。
この場合、弾性部材をゴム系材料により形成することにより、比較的簡単で安価な弾性部材とすることができる。
【発明の効果】
【００１１】
本発明によれば、運転中に織機の回転数が変動する織物を製織する場合であっても、余剰経糸整理バーの振動を低減することが可能な織機の余剰経糸整理バー支持装置を提供することができる。
【図面の簡単な説明】
【００１２】
【図１】第１の実施形態に係る織機の概要を示す側面図である。
【図２】第１の実施形態に係る織機の要部を示す要部平面図である。
【図３】第１の実施形態に係る織機の余剰経糸整理バー支持装置の要部斜視図である。
【図４】第１の実施形態に係る織機の余剰経糸整理バー支持装置の後面図である。
【図５】変形例１〜３に係る弾性部材を示す要部後面図である。
【発明を実施するための形態】
【００１３】
（第１の実施形態）
以下、第１の実施形態に係る織機の余剰経糸整理バー支持装置について図面を参照して説明する。まず、余剰経糸整理バー支持装置を備える織機について説明する。
【００１４】
図１に示す織機１０は、圧縮空気によって緯糸（図示せず）を飛走させて経糸Ｔの開口に緯入れするエアジェット織機である。織機１０は左右一対のサイドフレーム１１を備えている。図１では一方のサイドフレーム１１のみ図示される。織機１０の後部には、経糸ビーム１２が備えられている。経糸ビーム１２は、サイドフレーム１１の後部に固定されたビームサポート１３に支持されている。経糸ビーム１２には多数の経糸Ｔが巻回されている。織機１０の前部にはサイドフレーム１１により支持されるクロスビーム１４が備えられている。クロスビーム１４は製織された織布Ｗを巻き取るためのものである。
【００１５】
織機１０には、経糸ビーム１２から送り出される経糸Ｔを開口させる経糸開口装置１５と、緯入れされた緯糸を筬打ちするための筬１６が備えられている。経糸開口装置１５は織機駆動モータ（図示せず）により駆動される。筬１６は織機駆動モータの駆動力の伝達を受け、前後に揺動して筬打ち運動を行う。経糸開口装置１５による経糸Ｔの開口、緯糸の緯入れおよび筬１６による筬打ちが繰り返されることにより製織が行われる。
【００１６】
経糸ビーム１２の上方には、バックローラ１７およびテンションローラ１８が備えられている。バックローラ１７およびテンションローラ１８は、サイドフレーム１１に取り付けられたローラサポート１９に設けられている。経糸ビーム１２から送り出される経糸Ｔはバックローラ１７およびテンションローラ１８に案内されて経糸開口装置１５へ送り出される。
【００１７】
クロスビーム１４の上方には複数のプレスローラ２０、サーフェスローラ２１およびガイドローラ２２が備えられている。製織された織布Ｗは、ガイドローラ２２、サーフェスローラ２１および複数のプレスローラ２０に案内されてクロスビーム１４に巻き付けられる。
【００１８】
織機１０は、余剰経糸整理バー２４を支持する余剰経糸整理バー支持装置２５を備えている。余剰経糸整理バー２４は、経糸ビーム１２における余剰の経糸Ｔを案内するためのものである。図２に示すように、余剰経糸整理バー２４は、バー本体２６とバー本体２６の両端部から長手方向に突出する受具２７とを備えている。バー本体２６は金属製の中空パイプである。受具２７は、板状であってバー本体２６に溶接されている。余剰経糸整理バー２４のバー本体２６には、余剰の経糸Ｔを案内するための案内具（図示せず）が装着される。
【００１９】
余剰経糸整理バー支持装置２５は、余剰経糸整理バー２４を支持する左右一対の支持ブラケット２８と余剰経糸整理バー２４と支持ブラケット２８との間に介在される弾性部材としてのゴム製円筒体２９とを備えている。支持ブラケット２８は、アーム状のプレート部材３０とプレート部材３０に取り付けた支持部材３１とを有する。プレート部材３０の基部はローラサポート１９にボルト締結により取り付けられている。プレート部材３０の先端部には支持部材３１がボルト締結により取り付けられている。
【００２０】
図３に示すように、支持部材３１は金属板を屈曲することにより形成されている。支持部材３１にはゴム製円筒体２９が収容可能な収容空間３２が備えられている。支持部材３１は、底壁部３１Ａと、底壁部３１Ａとプレート部材３０とを接続する第１側壁部３１Ｂと、第１側壁部３１Ｂと対向する第２側壁部３１Ｃと、第１側壁部３１Ｂと第２側壁部３１Ｃとの間に位置する第３側壁部３１Ｄとを有している。第１側壁部３１Ｂ〜第３側壁部３１Ｄは、収容空間３２に収容されたゴム製円筒体２９およびゴム製円筒体２９上に載置される余剰経糸整理バー２４が脱落しないようにするために設けられている。
【００２１】
ゴム製円筒体２９は、ゴム系材料により形成された円筒状の部材である。ゴム製円筒体２９は支持部材３１の収容空間３２に収容可能な大きさであり、非密閉状であって円柱状の空間３３を有する。ゴム製円筒体２９は、振動吸収方向に変形可能である。ゴム製円筒体２９における振動吸収方向がゴム製円筒体２９の径方向であれば、空間３３の無いゴム製円柱体と比較すると、ゴム製円筒体２９のばね定数は十分に小さく、ゴム製円筒体２９は径方向に変形し易い。ゴム製円筒体２９のゴム系材料は、空間３３が完全に潰れてしまわない程度の硬さを有するゴム系材料が選定されている。
【００２２】
本実施形態では、ゴム製円筒体２９は、ゴム製円筒体２９の軸方向が前後方向になるように支持部材３１の収容空間３２に収容される。図４に示すように、支持部材３１がゴム製円筒体２９の下部２９Ｂに当接し、ゴム製円筒体２９の上部２９Ａに余剰経糸整理バー２４の受具２７が当接されるように、支持ブラケット２８が余剰経糸整理バー２４を支持する。つまり、ゴム製円筒体２９は、余剰経糸整理バー２４と当接する上部２９Ａと支持部材３１と当接する下部２９Ｂとの間に非密閉状の空間３３を有する状態で余剰経糸整理バー２４を支持する。このため、余剰経糸整理バー２４はゴム製円筒体２９上に載置された状態であり、支持ブラケット２８やゴム製円筒体２９に対して取り付けられていない。したがって、余剰経糸整理バー２４およびゴム製円筒体２９は、支持ブラケット２８に対して容易に着脱可能である。なお、図４は織機１０を後方から見た状態での余剰経糸整理バー支持装置２５を示す図であり、図４では支持ブラケット２８の一部が破断して示されている。
【００２３】
余剰経糸整理バー２４が支持ブラケット２８に支持される状態では、ゴム製円筒体２９は余剰経糸整理バー２４の自重によりゴム製円筒体２９の径方向に弾性変形する。そしてゴム製円筒体２９における円柱状の空間３３は、ゴム製円筒体２９の弾性変形により左右方向に拡がる楕円筒体となる。
【００２４】
次に、本実施時形態に係る余剰経糸整理バー支持装置２５による余剰経糸整理バー２４の振動の低減について説明する。余剰経糸整理バー支持装置２５は、余剰経糸整理バー２４と支持ブラケット２８との間に介在されるゴム製円筒体２９と、を備え、ゴム製円筒体２９は、余剰経糸整理バー２４と当接する上部２９Ａと支持ブラケット２８と当接する下部２９Ｂとの間に非密閉状の空間３３を有する。本実施形態では、振動吸収方向は図４にて矢印Ｆにより示す上下方向である。
【００２５】
織機１０の振動は支持ブラケット２８に伝達されるが、余剰経糸整理バー２４と支持ブラケット２８との間に介在されるゴム製円筒体２９が織機１０の振動に応じて弾性変形して振動を吸収するので、支持ブラケット２８から余剰経糸整理バー２４への振動の伝達が抑制される。
【００２６】
また、ゴム製円筒体２９は、非密閉状であって円柱状の空間３３を有するので、空間３３の無いゴム製円柱体と比較すると、ゴム製円筒体２９のばね定数は十分に小さく、ゴム製円筒体２９は径方向に変形し易い。つまり、ゴム製円筒体２９の材料に依存することなくゴム製円筒体２９の共振周波数は低下される。その結果、運転中に織機１０の回転数が変動する織物を製織する場合であっても、余剰経糸整理バー２４の振動は効果的に低減される。ただし、ゴム製円筒体２９が織機１０の振動に応じて弾性変形しても、空間３３は完全に潰れない。
【００２７】
ところで、経糸ビーム１２の経糸Ｔが製織によって消費されると、新しい経糸ビーム１２に交換する交換作業が行われる。余剰経糸整理バー２４は、ゴム製円筒体２９に載置されている状態であり、作業者による織機１０からの余剰経糸整理バー２４の取り外しは極めて容易である。したがって、余剰経糸整理バー２４が経糸ビーム１２の交換作業を妨げることはない。
【００２８】
本実施形態に係る織機１０の余剰経糸整理バー支持装置２５は、以下の作用効果を奏する。
（１）ゴム製円筒体２９は、余剰経糸整理バー２４と当接する上部２９Ａと支持ブラケット２８と当接する下部２９Ｂとの間に非密閉状の空間３３を有する状態で余剰経糸整理バー２４を支持する。このため、運転中に織機１０の回転数が変動する織物を製織する場合であっても、弾性部材としてのゴム製円柱体を単に介在させる場合と比較して、非密閉状の空間３３を有するゴム製円筒体２９は弾性変形し易い。つまり、ゴム製円筒体２９の材料に依存することなくゴム製円筒体２９の共振周波数を低下させることができ、余剰経糸整理バー２４の振動を効果的に低減することができる。
【００２９】
（２）ゴム製円筒体２９は円筒体であり、空間３３は円柱となるので、簡単な構成の弾性部材を実現することができる。また、支持ブラケット２８に対するゴム製円筒体２９の周方向の位置決めを考慮する必要が無く、ゴム製円筒体２９を余剰経糸整理バー２４と支持ブラケット２８との間に介在させ易い。
【００３０】
（３）弾性部材であるゴム製円筒体２９はゴム系材料により形成されているので、比較的簡単で安価な弾性部材とすることができる。
【００３１】
（４）ゴム製円筒体２９は非密閉状の空間３３を有することにより、材料であるゴム系材料の弾性のみに依存することなくばね定数を小さくすることができる。したがって、例えば、ゴム系材料の弾性に準ずるゴム系材料以外の安価な材料を採用することも可能であり、材料選択の自由度を高めることができる。
【００３２】
（変形例１〜３）
次に、変形例１〜３に係る弾性部材について説明する。図５（ａ）に示すように変形例１に係る弾性部材は、ゴム系材料により形成された断面Ｃ字状の筒状体３５である。筒状体３５は余剰経糸整理バー２４と当接する上部３５Ａと支持部材３１と当接する下部３５Ｂとの間に非密閉状の空間３６を有する状態で余剰経糸整理バー２４を支持する。振動吸収方向は矢印Ｆにて示すように上下方向である。
【００３３】
図５（ｂ）に示すように、変形例２に係る弾性部材は、ゴム系材料により形成された断面Ｓ字状の折曲体３７である。折曲体３７は余剰経糸整理バー２４と当接する上部３７Ａと支持部材３１と当接する下部３７Ｂとの間に非密閉状の空間３８、３９を有する状態で余剰経糸整理バー２４を支持する。振動吸収方向は矢印Ｆにて示すように上下方向である。
【００３４】
図５（ｃ）に示すように、変形例３に係る弾性部材は、ゴム系材料により形成された袋状体４０である。袋状体４０は余剰経糸整理バー２４と当接する上部４０Ａと支持部材３１と当接する下部４０Ｂとの間に非密閉状の空間４１を有する状態で余剰経糸整理バー２４を支持する。袋状体４０の開口が変形する方向が矢印Ｆにて示す振動吸収方向であり、振動吸収方向は上下方向である。
【００３５】
なお、上記の実施形態（変形例を含む）は、本発明の一実施形態を示すものであり、本発明は上記の実施形態に限定されるものではなく、下記のように発明の趣旨の範囲内で種々の変更が可能である。
【００３６】
○  上記の実施形態では、弾性部材は断面円形の円筒体としたがこの限りではない。弾性部材は、例えば、断面四角形のように断面多角形の角筒体としてもよく、あるいは、断面が楕円系の楕円筒体としてもよい。
○  上記の実施形態（変形例を含む）では弾性部材の材料をゴム系材料としたが、弾性部材の材料はゴム系材料に限定されない。弾性部材の材料は、例えば、金属であってもよい。弾性部材は金属であっても余剰経糸整理バーと当接する上部と支持ブラケットと当接する下部との間に非密閉状の空間を有する状態で余剰経糸整理バーを支持することができればよい。また、弾性部材は、空間が完全に潰れてしまわない程度の硬さを有する金属であればよい。
○  上記の実施形態（変形例を含む）に示す弾性部材に限らず、弾性部材は余剰経糸整理バーと当接する上部と支持ブラケットと当接する下部との間に非密閉状の空間を少なくとも１つ以上有すればよく、弾性部材は非密閉状の空間を３つ以上有してもよい。例えば、断面Ｘ字状の構造を有する弾性部材でもよく、この弾性部材は、４つの非密閉状の空間を有することができる。
○  上記の実施形態では、弾性部材である断面円形の円筒体は、円筒体の軸方向が織機の前後方向となるように支持ブラケットの収容空間に収容されたが、この限りではない。円筒体は、例えば、水平方向に９０°の向きを変えるようにして円筒体の軸方向が織機の緯入れ方向と平行になるように支持ブラケットの収容空間に収容してもよい。この場合、弾性部材が振動吸収方向に変形することに変わりはない。変形例１〜３についても、各弾性部材を水平方向に９０°の向きを変えるようにして支持ブラケットの収容空間に収容してもよい。
【符号の説明】
【００３７】
１０  織機
１１  サイドフレーム
１２  経糸ビーム
１４  クロスビーム
１５  経糸開口装置
１６  筬
２４  余剰経糸整理バー
２５  余剰経糸整理バー支持装置
２８  支持ブラケット
２９  ゴム製円筒体（弾性部材）
２９Ａ  上部
２９Ｂ  下部
３３、３６、３８，３９、４１  空間
３５  筒状体（弾性部材）
３７  折曲体（弾性部材）
４０  袋状体（弾性部材）
４１  空間
Ｔ  経糸
Ｗ  織布
【図１】
2020059943.tif 000003
【図２】
2020059943.tif 000004
【図３】
2020059943.tif 000005
【図４】
2020059943.tif 000006
【図５】
2020059943.tif 000007